(57)【要約】【課題】アームが取り付けられる取付部の機械的強度を確保しつつ、取付部の内部に侵入した水をより確実に排水することができる照明器具及び照明装置を提供する。【解決手段】取付部７は、保持部６から突出しており、柱状である。複数の窪み８は、取付部７の先端面７０２から取付部７の基端７０１側へ窪んでいる。複数のリブ９は、保持部６から突出している。複数のリブ９は、取付部７の外周面７０５に繋がっている。複数の窪み８の各々の開口部８０は、外周面７０５において取付部７の外部に開口している。【選択図】図１
2018206484.tif 000002
【特許請求の範囲】
【請求項１】
光源を含む光源ユニットを保持する保持部と、前記保持部から突出している柱状の取付部と、を含む器具本体と、
前記取付部に取り付けられるアームと、を備え、
前記取付部には、前記取付部の先端面から前記取付部の基端側へ窪んでいる複数の窪みが形成されており、
前記器具本体は、前記保持部から突出しており、前記取付部の外周面に繋がっている複数のリブを更に含み、
前記複数の窪みの各々は、前記外周面において前記取付部の外部に開口している開口部を有する
ことを特徴とする照明器具。
【請求項２】
前記複数の窪みのうち少なくとも１つの窪みの底面は、前記開口部から前記取付部の中心軸に近づくほど、前記取付部の軸方向において前記先端面に近づくように傾斜していることを特徴とする請求項１記載の照明器具。
【請求項３】
前記外周面において、前記複数のリブは、前記複数の窪みの間にそれぞれ、少なくとも１つずつ設けられていることを特徴とする請求項１又は２に記載の照明器具。
【請求項４】
前記取付部は円柱状であり、
前記複数の窪みにおいて、互いに隣接する２つの窪みの開口部間の前記外周面上での距離の最大値と最小値との差は、前記取付部の周方向における前記複数の窪みの全ての開口部の幅の相加平均以下である
ことを特徴とする請求項１〜３のいずれか一項に記載の照明器具。
【請求項５】
前記複数の窪みの数は３つであることを特徴とする請求項４記載の照明器具。
【請求項６】
前記取付部には、前記複数の窪みを前記取付部の内部で繋いでいる隙間が形成されていることを特徴とする請求項１〜５のいずれか一項に記載の照明器具。
【請求項７】
前記取付部は円柱状であり、
前記取付部は、前記外周面を有する周壁を含み、
前記周壁の厚みは、前記開口部と前記取付部の周方向において隣り合う部分で最も小さい
ことを特徴とする請求項１〜６のいずれか一項に記載の照明器具。
【請求項８】
前記アームに対する前記器具本体の角度を示す目盛りが記された目盛り板を更に備え、
前記アームは、前記器具本体を回転可能に支持し、
前記目盛り板は、複数の穴を有し、
前記器具本体は、前記先端面に形成されており前記複数の穴に挿入される複数の突起を更に含む
ことを特徴とする請求項１〜７のいずれか一項に記載の照明器具。
【請求項９】
請求項１〜８のいずれか一項に記載の照明器具と、
前記光源ユニットと、を備える
ことを特徴とする照明装置。
【発明の詳細な説明】
【技術分野】
【０００１】
本発明は照明器具及び照明装置に関し、より詳細には、器具本体にアームが取り付けられる照明器具及びこの照明器具を備える照明装置に関する。
【背景技術】
【０００２】
従来例として特許文献１記載の照明器具を例示する。特許文献１記載の照明器具は、本体部（保持部）と、軸受部（取付部）と、アームとを備えている。軸受部は、本体部の側面に円筒形状に形成されている。アームの挿通孔に挿通されたボルトが、軸受部にねじ込まれることにより、本体部をアームで回転可能に支持することができる。
【先行技術文献】
【特許文献】
【０００３】
【特許文献１】特開２０１５−２２８３０３号公報
【発明の概要】
【発明が解決しようとする課題】
【０００４】
しかしながら、特許文献１記載の照明器具では、仮に軸受部の内部に水が侵入したときに、水が溜まりやすい場合もあるかもしれない。照明器具によっては、軸受部の内部に水が溜まると、軸受部の腐食が促される場合もある。軸受部の外周面に水抜き用の孔が設けられている場合であっても、軸受部の内部の構造により水の移動が妨げられ、水が水抜き用の孔へ移動しにくいこともある。また、軸受部に水抜き用の孔を設けると、軸受部の機械的強度が低下する場合もある。
【０００５】
本発明は、アームが取り付けられる取付部の機械的強度を確保しつつ、取付部の内部に侵入した水をより確実に排水することができる照明器具及び照明装置を提供することを目的とする。
【課題を解決するための手段】
【０００６】
上記の課題を解決するために、本発明の一態様に係る照明器具は、器具本体と、アームと、を備える。前記器具本体は、保持部と、取付部と、を含む。前記保持部は、光源ユニットを保持する。前記光源ユニットは、光源を含む。前記取付部は、前記保持部から突出している。前記取付部は、柱状である。前記アームは、前記取付部に取り付けられる。前記取付部には、複数の窪みが形成されている。前記複数の窪みは、前記取付部の先端面から前記取付部の基端側へ窪んでいる。前記器具本体は、複数のリブを更に含む。前記複数のリブは、前記保持部から突出している。前記複数のリブは、前記取付部の外周面に繋がっている。前記複数の窪みの各々は、開口部を有する。前記開口部は、前記外周面において前記取付部の外部に開口している。
【０００７】
本発明の一態様に係る照明装置は、前記照明器具と、前記光源ユニットと、を備える。
【発明の効果】
【０００８】
本発明の一態様に係る照明器具及び照明装置では、アームが取り付けられる取付部の機械的強度を確保しつつ、取付部の内部に侵入した水をより確実に排水することができる。
【図面の簡単な説明】
【０００９】
【図１】図１は、一実施形態に係る照明器具の要部の平面図である。
【図２】図２は、一実施形態に係る照明装置の斜視図である。
【図３】図３は、同上の照明装置の要部の分解図である。
【図４】図４は、図１のＡ−Ａ断面図である。
【発明を実施するための形態】
【００１０】
（実施形態）
以下、実施形態に係る照明器具及び照明装置について、図面を用いて説明する。
【００１１】
本実施形態の照明装置１は、図１、２に示すように、照明器具２と、光源ユニット１０と、を備えている。照明装置１の用途は特に限定されないが、照明装置１は、例えば、スポーツ施設、広場又は駐車場において、屋内又は屋外用の照明として用いられる。照明装置１は、取付金具などを用いて、水平面、斜面、壁面又は天井面に取り付けられる。又は、照明装置１は、地面に立てられたポールに取り付けられる。
【００１２】
照明器具２は、器具本体５と、アーム３と、２つ（図２では１つのみを図示）の目盛り板４と、を備えている。器具本体５は、保持部６と、２つ（図１、２では１つのみを図示）の取付部７と、複数（図示例では３つ）のリブ９とを含む。２つの取付部７には、アーム３が取り付けられる。これにより、アーム３は、器具本体５を支持する。アーム３が器具本体５を支持することにより、各取付部７に力が加わる。そこで、取付部７の周りに設けられた複数のリブ９により、取付部７が支持され、取付部７の機械的強度が確保されている。また、取付部７には、複数（図示例では３つ）の窪み８が形成されている。以下、照明器具２及び照明装置１の構成について、より詳細に説明する。
【００１３】
保持部６は、前面６０１が開口した箱状に形成されている。保持部６は、光源ユニット１０を保持している。光源ユニット１０は、基板、基板に実装された複数の発光素子（光源）、複数のレンズ及びカバー１１を含む。各発光素子は、例えば発光ダイオードである。カバー１１は、ポリカーボネートなどの樹脂材料により、透光性を有するように形成されている。カバー１１は、保持部６の前面６０１の開口を覆うように保持部６に取り付けられている。基板、複数の発光素子及び複数のレンズは、保持部６の内部に収容されている。なお、光源ユニット１０は、光源として、発光ダイオードに代えて、有機エレクトロルミネッセンス素子、レーザーダイオード素子、白熱電球又は放電ランプなどを含んでいてもよい。
【００１４】
以下、特に断りのない限り、保持部６において、カバー１１が取り付けられている前面６０１とは反対側の面を後面とする。また、保持部６において、取付部７が１つずつ設けられている互いに向かい合う面（２つの側面６０２）を左面・右面とする。これにより、照明器具２及び照明装置１の前後方向・左右方向を規定する。さらに、保持部６の前面６０１及び後面が互いに向かい合う方向と、保持部６の２つの側面６０２が互いに向かい合う方向との両方に直交する方向を、照明器具２及び照明装置１の上下方向と規定する。
【００１５】
保持部６の左右の側面６０２からはそれぞれ、取付部７が左右方向に突出している。これら２つの取付部７は、保持部６の上下方向の中央付近から突出している。各取付部７は、円柱状（柱状）に形成されている。図１、３に示すように、取付部７は、基台７１と、周壁７２と、軸部７３と、複数（図示例では３つ）の連結部７４と、を含む。
【００１６】
以下では、２つの取付部７のうち、右側の取付部７の構成について説明する。なお、左側の取付部７は右側の取付部７と左右対称なので、左側の取付部７の構成については説明を省略する。また、以下では、特に断りのない限り、「径方向」とは、取付部７の径方向であり、「周方向」とは、取付部７の周方向である。
【００１７】
基台７１は、偏平な円柱状に形成されている。基台７１は、側面６０２から右向きに突出している。周壁７２は、円筒曲面状の外周面を有している。周壁７２は、基台７１の周縁から右向きに突出している。基台７１と周壁７２とで、中空の円柱状の構造を形成している。
【００１８】
取付部７には、複数の窪み８が形成されている。複数の窪み８は、取付部７の先端面７０２から取付部７の基端７０１側へ窪んでいる。すなわち、各窪み８は、先端面７０２側において開口している。取付部７の先端面７０２は、周壁７２の右面に相当する。基端７０１は、取付部７のうち、側面６０２との間の境界部分である。複数の窪み８は、取付部７の中心軸Ｃ１の周りに設けられている。複数の窪み８は、取付部７の周方向において互いに隣接している。より詳細には、複数の窪み８は、取付部７の周方向において等間隔に並んでいる。各窪み８は、底面８１を有している。底面８１は、窪み８における基端７０１側の面である。
【００１９】
また、複数の窪み８の各々は、開口部８０を有している。これら複数（図示例では３つ）の開口部８０は、取付部７の外周面７０５において取付部７の外部に開口している。ここで、取付部７の外周面７０５とは、基台７１及び周壁７２の外周面である。
【００２０】
以下では、複数の窪み８を区別する場合は、窪み８ａ、８ｂ、８ｃと表記する。また、複数の開口部８０を区別する場合は、開口部８０ａ、８０ｂ、８０ｃと表記する。
【００２１】
複数の開口部８０は、取付部７の周方向において外周面７０５上で互いに隣接している。より詳細には、複数の開口部８０は、取付部７の周方向において、外周面７０５上で等間隔に並んでいる。言い換えると、複数の開口部８０は、取付部７の周方向において、外周面７０５上で１２０度ごとに設けられている。したがって、各窪み８の開口部８０と、隣接する窪み８の開口部８０との間の外周面７０５上での距離Ｌ１、Ｌ２、Ｌ３は、互いに等しい。
【００２２】
距離Ｌ１は、窪み８ａの開口部８０ａと、窪み８ａに隣接する窪み８ｂの開口部８０ｂとの間の外周面７０５上での距離である。距離Ｌ２は、窪み８ｂの開口部８０ｂと、窪み８ｂに隣接する窪み８ｃの開口部８０ｃとの間の外周面７０５上での距離である。距離Ｌ３は、窪み８ｃの開口部８０ｃと、窪み８ｃに隣接する窪み８ａの開口部８０ａとの間の外周面７０５上での距離である。距離Ｌ１、Ｌ２、Ｌ３の基点は、開口部８０ａ、８０ｂ、８０ｃの中心に取る。
【００２３】
幅Ｗ１、Ｗ２、Ｗ３はそれぞれ、取付部７の周方向における開口部８０ａ、８０ｂ、８０ｃの幅である。本実施形態の幅Ｗ１、Ｗ２、Ｗ３は、互いに等しい。
【００２４】
距離Ｌ１、Ｌ２、Ｌ３の最大値と最小値との差は、幅Ｗ１、Ｗ２、Ｗ３の相加平均以下である。
【００２５】
複数の窪み８は、開口部８０から中心軸Ｃ１に近づくほど、取付部７の周方向における幅が大きい。複数の窪み８は、右から見て略二等辺三角形に形成されている。
【００２６】
周壁７２は、複数（図示例では３つ）の開口部８０を境界として複数（図示例では３つ）の壁部７８に分かれている。すなわち、周壁７２は、複数の壁部７８を含む。各壁部７８は、円弧状に形成されている。各壁部７８は、外周面７８１と、内周面７８２とを有している。取付部７の外周面７０５は、３つの壁部７８の３つの外周面７８１を含む。取付部７の内周面７０６は、３つの壁部７８の３つの内周面７８２を含む。
【００２７】
壁部７８の外周面７８１は円弧曲面状である。壁部７８の内周面７８２は、円弧曲面状の面と、２つの平状の面と、を含む。すなわち、内周面７８２は、周方向における壁部７８の中心付近では、外周面７８１とは反対向きに凸の円弧曲面状であり、周方向における壁部７８の両端付近では平状である。外周面７８１と内周面７８２とのこのような形状の違いにより、壁部７８では、周方向において開口部８０に近い部分ほど厚みが小さい。したがって、周壁７２（壁部７８）の厚みは、開口部８０と周方向において隣り合う部分で最も小さい。言い換えれば、壁部７８の厚みは、周方向における壁部７８の両端で最も小さい。なお、壁部７８の全体ではなく、壁部７８のうち、少なくとも開口部８０と周方向において隣り合う部分で、周方向において開口部８０に近い部分ほど厚みが小さくてもよい。
【００２８】
軸部７３は、基台７１から右向きに突出している。軸部７３は、円筒状に形成されている。軸部７３には、中心にボルト孔７３１が形成されている。軸部７３の中心軸は、取付部７の中心軸Ｃ１に一致している。
【００２９】
複数の連結部７４は、基台７１から右向きに突出している。複数の連結部７４は、軸部７３と複数の壁部７８とを径方向に繋いでいる。複数の連結部７４は、取付部７の周方向において、等間隔に並んでいる。
【００３０】
このように、基台７１及び周壁７２の内部の空間を軸部７３及び複数の連結部７４が仕切ることによって、基台７１、周壁７２、軸部７３及び複数の連結部７４の間に複数の窪み８が形成されている。
【００３１】
器具本体５は、複数（図示例では３つ）の突起７５を更に含む。複数の突起７５はそれぞれ、円柱状に形成されている。複数の突起７５は、取付部７の先端面７０２に形成されている。複数の突起７５は、複数の連結部７４と一対一で対応している。各突起７５は、対応する連結部７４と、対応する連結部７４に繋がっている壁部７８との間の境界部分から突出している。
【００３２】
取付部７の各構成は、いずれも側面６０２に対して右に向かって突出している。図４に示すように、各連結部７４は、基台７１よりも右へ突出している。周壁７２及び軸部７３は、各連結部７４よりも右へ突出している。つまり、連結部７４は、周壁７２及び軸部７３に対して左に窪んでいる。したがって、各連結部７４の右面において、周壁７２と、軸部７３との間には、隙間７０４が形成されている。隙間７０４は、取付部７の周方向において互いに隣接する複数の窪み８を取付部７の内部で繋いでいる。周壁７２の右面（先端面７０２）及び軸部７３の右面は、取付部７の軸方向Ｄ１と直交する１つの平面上に位置している。器具本体５の各突起７５は、周壁７２及び軸部７３よりも右へ突出している。
【００３３】
各窪み８の底面８１は、開口部８０から取付部７の中心軸Ｃ１に近づくほど、軸方向Ｄ１において先端面７０２（右面）に近づくように傾斜している。すなわち、底面８１は、径方向において中心軸Ｃ１に近い部分ほど右に位置するように、傾斜している。
【００３４】
図３に示すように、複数のリブ９は、保持部６の側面６０２から右向きに突出している。また、複数のリブ９は、取付部７の外周面７０５に繋がっている。各リブ９は、直角三角形の板状に形成されている。リブ９は、２つの隣辺（直角三角形の斜辺以外の辺）において、外周面７０５と側面６０２とにそれぞれ一体に繋がっている。外周面７０５において、複数のリブ９は、複数の窪み８の間にそれぞれ、１つずつ設けられている。つまり、複数のリブ９は、複数の壁部７８に１つずつ繋がって設けられている。より詳細には、各リブ９は、周方向における壁部７８の中心に繋がっている。すなわち、複数のリブ９は、周方向において等間隔に並んでいる。また、複数のリブ９は、取付部７に対して放射状に形成されている。なお、１つの壁部７８に対して２つ以上のリブ９が設けられていてもよい。
【００３５】
保持部６、２つの取付部７、複数の突起７５及び複数のリブ９は、ダイキャストにより一体に形成されている。これらの主材料はアルミニウムである。各取付部７に複数の窪み８が形成されて取付部７の厚みが抑えられることにより、取付部７に鋳巣（空洞）などの鋳造欠陥が発生する可能性が低減されている。
【００３６】
各取付部７には、目盛り板４と、アーム３とが取り付けられる。目盛り板４は、円盤状に形成されている。目盛り板４は、円盤状の固定部４１と、固定部４１の周囲に形成されている円環状の鍔部４２と、を含む。固定部４１は、鍔部４２と一体に形成されている。固定部４１は、鍔部４２に対して鍔部４２の厚み方向に突出している。固定部４１は、複数（図示例では３つ）の貫通孔４４（穴）と、ボルト挿通孔４５と、を有している。鍔部４２には、目盛り板４の回転角を示す目盛り４６が記されている。なお、照明器具２は、目盛り板４を１つのみ備えていてもよい。すなわち、２つの取付部７のうちいずれか一方のみに目盛り板４が取り付けられてもよい。
【００３７】
アーム３は、金属板（鋼板）などの板材から形成されている。図２に示すように、アーム３は、Ｕ字状に形成されている。アーム３は、固定板３１と、２つの立ち上げ片３２と、２つの支持片３３と、を含む。２つの立ち上げ片３２は、固定板３１の左右両端から斜め上向きに立ち上がっている。２つの支持片３３は、２つの立ち上げ片３２の先端から上向きに立ち上がっている。
【００３８】
固定板３１は、略中心に円形の固定孔３１１を有している。また、固定板３１は、固定孔３１１よりも後方に、固定孔３１１を中心とする半円弧状の長孔３１２を有している。固定孔３１１に挿通されるボルトと、長孔３１２に挿通されるボルトとで、固定板３１が取付金具などに固定される。また、長孔３１２に挿通されたボルトを緩めることにより、固定孔３１１を中心とするアーム３（照明装置１）の向きを略１８０度の範囲で変更することができる。固定板３１には、アーム３の向きを示す目盛りが記されている。図３に示すように、各支持片３３は、先端付近に円形の挿通孔３３０を有している。
【００３９】
取付部７に形成されている複数の突起７５は、それぞれ目盛り板４の貫通孔４４に挿入される。これにより、目盛り板４は、取付部７に固定される。目盛り板４の固定部４１は、周壁７２の右面（先端面７０２）及び軸部７３の右面に接触した状態で固定される。
【００４０】
目盛り板４とアーム３とは、ボルト３４と円筒部材３５とを用いて取付部７に取り付けられる。ボルト３４は、アーム３の挿通孔３３０と、目盛り板４のボルト挿通孔４５と、円筒部材３５とに順次に挿通されてから、取付部７のボルト孔７３１にねじ込まれる。これにより、アーム３は、ボルト３４（軸部７３）を軸として器具本体５を回転可能に支持する。また、目盛り板４は、支持片３３と取付部７との間に挟まれる。なお、器具本体５は、軸部７３を軸として３６０度回転可能であってもよいし、限られた角度の範囲で回転可能であってもよい。
【００４１】
目盛り板４は、器具本体５と共に、ボルト３４を軸としてアーム３に対して回転する。したがって、目盛り板４に記された目盛り４６を読み取ることにより、アーム３に対する器具本体５の角度を知ることができる。
【００４２】
照明装置１は、照明器具２及び光源ユニット１０に加えて、放熱部材５１（フィン）、配線ユニット及び電源ユニットなどを備えている。放熱部材５１は、保持部６の後面に取り付けられている。放熱部材５１は、光源ユニット１０（図２参照）で生じる熱を受け取り、空気中に放熱する。配線ユニット及び電源ユニットは、保持部６の内部に収容されている。配線ユニットは、外部から引き込まれる電源ケーブルが接続される端子台を含む。電源ユニットは、電源ケーブル及び端子台を介して外部電源から給電される。電源ユニットは、外部電源から供給される交流電圧を所定の電圧値の直流電圧に変換し、光源ユニット１０に供給する。
【００４３】
照明装置１が取付金具に取り付けられる際には、図２に示すワイヤ５３が、照明装置１及びワイヤ受け５４に接続される。ワイヤ受け５４は、取付金具に固定される。アーム３が取付金具から外れた場合、落下しようとする照明装置１をワイヤ５３により支持することができる。
【００４４】
次に、取付部７の内部に水が侵入した場合について、図１を参照して説明する。
【００４５】
照明装置１が取り付けられる位置が水平面、斜面、壁面又は天井面のいずれであるかによって、複数の窪み８の位置関係が異なることがある。また、器具本体５は、軸部７３を軸としてアーム３に対して回転可能なので、器具本体５の向きによって、複数の窪み８の位置関係は様々である。つまり、器具本体５の上下方向は、鉛直上下方向に対して斜めになる場合がある。図１の例では、窪み８ａが取付部７の中心軸Ｃ１よりも鉛直上側に位置し、窪み８ｂが中心軸Ｃ１よりも鉛直下側に位置し、窪み８ｃが鉛直方向において中心軸Ｃ１と同じ位置にある。
【００４６】
取付部７の内部に水が侵入し、窪み８ｂの底面８１に水があるとき、水は重力に従って鉛直下向きに流れて、開口部８０ｂから取付部７の外部へ排水される。さらに、窪み８ｂの底面８１を水が流れるとき、底面８１が傾斜していることによって、水が容易に流れて開口部８０ｂから出て行くようにされている。すなわち、底面８１が取付部７の中心軸Ｃ１よりも鉛直下側にあるとき、底面８１にある水は、底面８１の傾斜に沿って流れて排水される。
【００４７】
取付部７の中心軸Ｃ１よりも鉛直上側に位置している窪み８ａに水があるとき、水は重力に従って流れて、窪み８ａと窪み８ｂとの間の連結部７４に到達する。取付部７には、窪み８ａと窪み８ｂとを繋いでいる隙間７０４が形成されているので、水は隙間７０４を通って窪み８ｂへ流れる。窪み８ｂへ流れた水は、開口部８０ｂから排水される。また、窪み８ｃに水がある場合も同様に、水は、窪み８ｃと窪み８ｂとを繋いでいる隙間７０４を通って窪み８ｂへ流れ、開口部８０ｂから排水される。
【００４８】
取付部７の向きが図１とは異なる場合は、窪み８ａ又は窪み８ｃが取付部７の中心軸Ｃ１よりも鉛直下側に位置したり、窪み８ｂ又は窪み８ｃが取付部７の中心軸Ｃ１よりも鉛直上側に位置したりすることがある。この場合は、鉛直下側に位置する窪み８が上記の説明の窪み８ｂに相当し、鉛直上側に位置する窪み８が上記の説明の窪み８ａに相当する。したがって、取付部７の内部に侵入した水が、図１の場合と同様にして排水される。
【００４９】
また、３つの開口部８０が取付部７の周方向において外周面７０５上で等間隔に並んでいるので、器具本体５の向きに関わらず、１又は２つの開口部８０は、取付部７の中心軸Ｃ１よりも鉛直下側に位置する。開口部８０が中心軸Ｃ１よりも鉛直下側に位置していれば、窪み８にある水を開口部８０から容易に排水することができる。つまり、器具本体５が軸部７３を軸として３６０度のどの向きに向けられていても、取付部７の内部に侵入した水を容易に排水することができる。
【００５０】
（変形例）
なお、取付部７の形状は、円柱状に限定されない。例えば、取付部７は、円錐台、多角柱又は多角錐台の形状であってもよい。
【００５１】
また、複数の窪み８のうち、少なくとも１つの窪み８の底面８１が、開口部８０から中心軸Ｃ１に近づくほど、軸方向Ｄ１において先端面７０２に近づくように傾斜していてもよい。つまり、必ずしも全ての窪み８の底面８１がこのように傾斜していなくてもよい。また、いずれの窪み８の底面８１もこのように傾斜していなくてもよい。
【００５２】
また、外周面７０５において、複数のリブ９が、複数の窪み８の間（壁部７８）に少なくとも１つずつ設けられていることは、必須ではない。すなわち、複数の壁部７８のうち、一部の壁部７８には、リブ９が繋がっていなくてもよい。
【００５３】
また、リブ９の形状は、三角形の板状に限定されない。リブ９は、四角形以上の多角形の板状、又はＬ字若しくは逆Ｌ字の板状などであってもよい。あるいは、リブ９は、平面骨組状又は立体骨組状に形成されていてもよい。
【００５４】
また、複数の開口部８０間の距離Ｌ１、Ｌ２、Ｌ３の最大値と最小値との差は、複数の窪み８の全ての開口部８０の幅Ｗ１、Ｗ２、Ｗ３の相加平均以下でなくてもよい。つまり、複数の開口部８０が外周面７０５上で等間隔又は略等間隔に並んでいなくてもよい。この場合であっても、取付部７には開口部８０（窪み８）が複数形成されているので、器具本体５が様々な向きで使用されるとき、開口部８０が１つの場合と比較して、少なくとも１つの開口部８０が取付部７の中心軸Ｃ１より鉛直下側に位置している可能性が高い。これにより、取付部７の内部に侵入した水をより確実に排水することができる。
【００５５】
また、窪み８の数は３つに限定されず、２つであってもよいし、４つ以上であってもよい。
【００５６】
また、リブ９の数は３つに限定されず、２つであってもよいし、４つ以上であってもよい。
【００５７】
また、複数の窪み８を取付部７の内部で繋いでいる隙間７０４が形成されていなくてもよい。
【００５８】
また、周壁７２の厚みは、開口部８０と周方向において隣り合う部分で最も小さくなくてもよい。例えば、周壁７２は、周方向の位置に関わらず、厚みが一定であってもよい。
【００５９】
また、目盛り板４が有する複数の穴は、貫通孔４４に限定されない。例えば、各穴は、目盛り板４の厚み方向に窪んだ凹部であってもよい。
【００６０】
また、照明器具２において、目盛り板４は必須の構成ではない。
【００６１】
また、器具本体５は、アーム３に対して回転しないようにアーム３に固定されてもよい。
【００６２】
また、複数の窪み８は、開口部８０を１つずつ有している。各窪みにおける開口部は、複数の開口部（以下、小開口と呼ぶ）に分かれて形成されていてもよい。この場合に、各窪みにおいて、開口部の位置は、複数の小開口が形成されている領域の中心として規定される。したがって、互いに隣接する２つの窪みの開口部間の外周面上での距離（Ｌ１、Ｌ２、Ｌ３）は、複数の開口部の各々の上記中心間の距離である。
【００６３】
（まとめ）
以上説明したように、第１の態様に係る照明器具２は、器具本体５と、アーム３と、を備える。器具本体５は、保持部６と、取付部７と、を含む。保持部６は、光源ユニット１０を保持する。光源ユニット１０は、光源を含む。取付部７は、保持部６から突出している。取付部７は、柱状である。アーム３は、取付部７に取り付けられる。取付部７には、複数の窪み８が形成されている。複数の窪み８は、取付部７の先端面７０２から取付部７の基端７０１側へ窪んでいる。器具本体５は、複数のリブ９を更に含む。複数のリブ９は、保持部６から突出している。複数のリブ９は、取付部７の外周面７０５に繋がっている。複数の窪み８の各々は、開口部８０を有する。開口部８０は、外周面７０５において取付部７の外部に開口している。
【００６４】
上記の構成によれば、照明器具２の取付部７には、複数の窪み８が形成されている。複数の窪み８の各々は、取付部７の外周面７０５において取付部７の外部に開口している開口部８０を有する。したがって、取付部７の内部に侵入し窪み８にある水を、外周面７０５に形成された開口部８０への直通の経路で排水することができる。これにより、取付部７の内部に侵入した水をより確実に排水することができる。
【００６５】
また、照明器具２は、複数のリブ９を備えている。複数のリブ９は、保持部６から突出し、外周面７０５に繋がっている。これにより、複数のリブ９は、取付部７を支持し、取付部７の機械的強度を確保している。
【００６６】
以上の通り、第１の態様に係る照明器具２では、アーム３が取り付けられる取付部７の機械的強度を確保しつつ、取付部７の内部に侵入した水をより確実に排水することができる。
【００６７】
また、第２の態様に係る照明器具２では、第１の態様において、複数の窪み８のうち少なくとも１つの窪み８の底面８１は、開口部８０から取付部７の中心軸Ｃ１に近づくほど、取付部７の軸方向Ｄ１において先端面７０２に近づくように傾斜している。
【００６８】
上記の構成によれば、複数の窪み８のうち少なくとも１つの窪み８の底面８１は傾斜している。より詳細には、底面８１は、開口部８０から取付部７の中心軸Ｃ１に近づくほど、取付部７の軸方向Ｄ１において取付部７の先端面７０２に近づくように傾斜している。したがって、底面８１が取付部７の中心軸Ｃ１より鉛直下側にあるとき、底面８１にある水は傾斜に沿って開口部８０へ流れやすい。これにより、取付部７の内部に侵入した水をより確実に排水することができる。
【００６９】
また、第３の態様に係る照明器具２では、第１又は２の態様において、外周面７０５において、複数のリブ９は、複数の窪み８の間にそれぞれ、少なくとも１つずつ設けられている。
【００７０】
上記の構成によれば、外周面７０５において、複数のリブ９は、複数の窪み８の間にそれぞれ、少なくとも１つずつ設けられている。これにより、複数のリブ９は、取付部７のうち複数の窪み８の間の部分をそれぞれ支持しているので、取付部７の機械的強度を外周面７０５上の広い範囲で確保することができる。
【００７１】
また、第４の態様に係る照明器具２では、第１〜３のいずれかの態様において、取付部７は円柱状である。距離Ｌ１、Ｌ２、Ｌ３の最大値と最小値との差は、取付部７の周方向における複数の窪み８の全ての開口部８０の幅Ｗ１、Ｗ２、Ｗ３の相加平均以下である。距離Ｌ１、Ｌ２、Ｌ３とは、複数の窪み８において、互いに隣接する２つの窪み８の開口部８０間の外周面７０５上での距離である。
【００７２】
上記の構成によれば、複数の窪み８において、互いに隣接する２つの窪み８の開口部８０間の外周面７０５上での距離Ｌ１、Ｌ２、Ｌ３の最大値と最小値との差は、取付部７の周方向における複数の窪み８の全ての開口部８０の幅Ｗ１、Ｗ２、Ｗ３の相加平均以下である。すなわち、複数の開口部８０は、外周面７０５上で等間隔又は略等間隔に並んでいる。これにより、複数の開口部８０が外周面７０５上で等間隔又は略等間隔に並んでいない場合と比較して、周方向において開口部８０が形成されていない領域の長さを短くすることができる。すなわち、取付部７（器具本体５）が周方向に回転させられたとき、複数の開口部８０が外周面７０５上で等間隔又は略等間隔に並んでいない場合と比較して、少なくとも１つの開口部８０が取付部７の中心軸Ｃ１より鉛直下側に位置している可能性が高い。したがって、取付部７の内部に侵入した水をより確実に排水することができる。
【００７３】
また、第５の態様に係る照明器具２では、第４の態様において、複数の窪み８の数は３つである。
【００７４】
上記の構成によれば、３つの窪み８の３つの開口部８０は、外周面７０５上で等間隔又は略等間隔に並んでいる。したがって、取付部７（器具本体５）が周方向に回転させられたとき、常に少なくとも１つの開口部８０が取付部７の中心軸Ｃ１より鉛直下側に位置している。これにより、取付部７の内部に侵入した水をより確実に排水することができる。なおかつ、窪み８の数が４つ以上である場合と比較して、取付部７内の空洞（窪み８）の数が少ないので、取付部７の機械的強度をより容易に確保することができる。
【００７５】
また、第６の態様に係る照明器具２では、第１〜５のいずれかの態様において、取付部７には、隙間７０４が形成されている。隙間７０４は、複数の窪み８を取付部７の内部で繋いでいる。
【００７６】
上記の構成によれば、複数の窪み８は、隙間７０４によって、取付部７の内部で繋がっている。したがって、２つの窪み８が鉛直上下に並んでいるとき、鉛直上側の窪み８にある水を、隙間７０４と鉛直下側の窪み８とを経由して取付部７の外部へ排水することができる。つまり、鉛直下側の窪み８にある水だけではなく、鉛直上側の窪み８にある水もより確実に排水することができる。
【００７７】
また、第７の態様に係る照明器具２では、第１〜６のいずれかの態様において、取付部７は円柱状である。取付部７は、周壁７２を含む。周壁７２は、外周面７０５を有する。周壁７２の厚みは、開口部８０と取付部７の周方向において隣り合う部分で最も小さい。
【００７８】
もし、周壁がどの部分でも同じ厚みであると、周壁の内周面は円弧曲面状となる。取付部の向きによっては、内周面が開口部付近で開口部に向かって鉛直上側へ屈曲した状態になり、内周面に水が溜まりやすくなることがある。これに対して、上記の構成によれば、周壁７２の厚みは、開口部８０と周方向において隣り合う部分で最も小さい。これにより、内周面７０６が開口部８０付近で開口部８０に向かって鉛直上側へ屈曲した状態になる可能性が低減される。したがって、水が周壁７２の内周面７０６を伝って開口部８０に流れるとき、周壁７２の内周面７０６に水が溜まりにくい。これにより、水を開口部８０へより確実に導き、取付部７の外部へ排水することができる。
【００７９】
また、第８の態様に係る照明器具２は、第１〜７のいずれかの態様において、目盛り板４を更に備える。目盛り板４には、目盛り４６が記されている。目盛り４６は、アーム３に対する器具本体５の角度を示す。アーム３は、器具本体５を回転可能に支持する。目盛り板４は、複数の穴（貫通孔４４）を有する。器具本体５は、複数の突起７５を更に含む。複数の突起７５は、先端面７０２に形成されている。複数の突起７５は、複数の穴に挿入される。
【００８０】
上記の構成によれば、取付部７の先端面７０２に形成された複数の突起７５は、目盛り板４の複数の穴（貫通孔４４）に挿入される。このようにして、ねじなど他の部材を用いることなく、目盛り板４を取付部７に容易に位置決めすることができる。
【００８１】
また、第９の態様に係る照明装置１は、第１〜８のいずれかの態様に係る照明器具２と、光源ユニット１０と、を備える。
【００８２】
上記の構成によれば、照明装置１における照明器具２は、取付部７と、取付部７の外周面７０５に繋がっている複数のリブ９と、を備えている。取付部７には、複数の窪み８が形成されている。複数の窪み８の各々は、外周面７０５において取付部７の外部に開口している開口部８０を有する。したがって、照明装置１では、複数のリブ９により、取付部７の機械的強度を確保することができ、なおかつ、複数の窪み８により、取付部７の内部に侵入した水をより確実に排水することができる。
【００８３】
なお、以上説明した実施形態は本発明の一例である。このため、本発明はこれらの実施形態に限定されず、本発明の趣旨を逸脱しない範囲において種々の変形が可能である。
【符号の説明】
【００８４】
１  照明装置
２  照明器具
３  アーム
４  目盛り板
４４  貫通孔（穴）
４６  目盛り
５  器具本体
６  保持部
７  取付部
７２  周壁
７５  突起
７０１  基端
７０２  先端面
７０４  隙間
７０５  外周面
８  窪み
８０  開口部
８１  底面
９  リブ
１０  光源ユニット
Ｃ１  中心軸
Ｄ１  軸方向
Ｌ１、Ｌ２、Ｌ３  距離
Ｗ１、Ｗ２、Ｗ３  幅
【図１】
2018206484.tif 000003
【図２】
2018206484.tif 000004
【図３】
2018206484.tif 000005
【図４】
2018206484.tif 000006